(57)【特許請求の範囲】
【請求項１】
共同住宅の外廊下またはバルコニー床を構成する各階のスラブの外端部に、それぞれのリブ片を外側に向けて相互に平行に掛け渡した複数本の縦材、および当該縦材間に、それぞれのリブ片を外側に向けて相互に平行に掛け渡した複数本の横材から成る骨組みと、
前記縦材と前記横材とで前記各リブ片先端が面一になるように区画した前記骨組みの各区画領域に装着可能な囲い体とを備え、
前記骨組みは、前記複数本の縦材および複数本の横材により、各階のスラブの外端部において前記共同住宅の外廊下側の面の全域またはバルコニー床側の面の全域を格子状に覆っており、
前記横材は、前記各階のスラブの近傍に配設した主横材と、当該主横材間の略中間位置に配設した副横材とを有し、
前記囲い体は、前記副横材の上側に構成された前記区画領域を開放して下側に構成された前記区画領域に装着した囲い体と、前記上側及び下側に構成された区画領域に装着した囲い体とからなることを特徴とする建物の柵構造。
【請求項２】
共同住宅の外廊下またはバルコニー床を構成する各階のスラブの外端部に、それぞれのリブ片を外側に向けて相互に平行に掛け渡した複数本の縦材、および当該縦材間に、それぞれのリブ片を外側に向けて相互に平行に掛け渡した複数本の横材から成る骨組みと、
前記縦材と前記横材とで前記各リブ片先端が面一になるように区画した前記骨組みの各区画領域に装着可能な囲い体とを備え、
前記骨組みは、前記複数本の縦材および複数本の横材により、各階のスラブの外端部において前記共同住宅の外廊下側の面の全域またはバルコニー床側の面の全域を格子状に覆っており、
前記横材は、前記各階のスラブの近傍に配設した主横材と、当該主横材間の略中間位置に配設した副横材とを有し、
前記囲い体は、前記副横材の上側に構成された前記区画領域を開放して下側に構成された前記区画領域に装着した囲い体と、前記上側及び下側に構成された区画領域に装着した囲い体とからなる、建物の柵構造において、
前記共同住宅の各戸には前記外廊下に面してドアが設けられており、
前記ドアに対応する前記区画領域には、当該ドアを目隠しするように前記囲み体が装着されていることを特徴とする建物の柵構造。
【請求項３】
前記囲い体が、複数の格子と当該複数の格子を支持する枠体とを有する格子ユニットであることを特徴とする請求項１または２に記載の建物の柵構造。
【請求項４】
前記囲い体が、化粧パネルと当該化粧パネルを支持する枠体とを有するパネルユニットであることを特徴とする請求項１から３のいずれかに記載の建物の柵構造。
【発明の詳細な説明】
【０００１】
【発明の属する技術分野】
本発明は、共同住宅の外廊下やバルコニー床に設ける手摺などの建物の柵構造に関するものである。
【０００２】
【従来の技術】
従来、この種の建物の柵構造を代表するものとして、ユニット化された手摺が知られている。この手摺は、外廊下を構成するスラブの端部に立設した複数本の支柱と、複数本の支柱の上端に掛け渡した笠木とで基本ユニットが構成され、この基本ユニットの各区画領域に格子ユニットやパネルユニットを装着する構造になっている。この場合、格子ユニットやパネルユニットは多種類のものが用意されており、基本ユニットを汎用的に用いてデザインの異なる各種の手摺を簡単に施工できるように構成されている。
【０００３】
【発明が解決しようとする課題】
このような従来の手摺では、基本ユニットが手摺用に構成されているため、例えば、玄関ドアに面する部分に階高に渡って目隠しパネルを設ける場合などでは、別途、目隠しパネルと目隠しパネルを取り付ける構造材とを施工する必要があり、基本ユニットとの取り合いが煩雑になる問題があった。また、手摺と目隠しパネルとのデザイン上の統一が図り難くくなり、共同住宅の外廊下側の外観意匠が損なわれるおそれがあった。
【０００４】
本発明は、共同住宅の外廊下側やバルコニー側に必要な手摺などの柵を簡単に施工することができると共に、外廊下側やバルコニー側全体の外観意匠の統一を図ることができる建物の柵構造を提供することをその目的としている。
【０００５】
【課題を解決するための手段】
請求項１の建物の棚構造は、共同住宅の外廊下またはバルコニー床を構成する各階のスラブの外端部に、それぞれのリブ片を外側に向けて相互に平行に掛け渡した複数本の縦材、および当該縦材間に、それぞれのリブ片を外側に向けて相互に平行に掛け渡した複数本の横材から成る骨組みと、前記縦材と前記横材とで前記各リブ片先端が面一になるように区画した前記骨組みの各区画領域に装着可能な囲い体とを備え、前記骨組みは、前記複数本の縦材および複数本の横材により、各階のスラブの外端部において前記共同住宅の外廊下側の面の全域またはバルコニー床側の面の全域を格子状に覆っており、前記横材は、前記各階のスラブの近傍に配設した主横材と、当該主横材間の略中間位置に配設した副横材とを有し、前記囲い体は、前記副横材の上側に構成された前記区画領域を開放して下側に構成された前記区画領域に装着した囲い体と、前記上側及び下側に構成された区画領域に装着した囲い体とからなることを特徴とする。
【０００６】
この構成によれば、共同住宅の外廊下側またはバルコニー側の全域に格子状の骨組みが設けられ、この骨組みの区画領域を１単位として、この区画領域の複数箇所を適宜埋めるように囲い体を装着することにより、外廊下などに必要な手摺や目隠しなどを簡単に構成することができる。また、外廊下側やバルコニー側の外観意匠を優先するように囲い体を装着することも可能になる。
【０００８】
また、副横材の高さ位置を一般の笠木の位置とし、その下側の区画領域に囲い体を装着することにより、手摺付きの開放廊下などを構成することができる。この場合囲い体の選定により、通風を優先した外廊下やバルコニーとすることも、また風よけやプライバシーを優先した外廊下などとすることも可能である。
【０００９】
共同住宅の外廊下またはバルコニー床を構成する各階のスラブの外端部に、それぞれのリブ片を外側に向けて相互に平行に掛け渡した複数本の縦材、および当該縦材間に、それぞれのリブ片を外側に向けて相互に平行に掛け渡した複数本の横材から成る骨組みと、前記縦材と前記横材とで前記各リブ片先端が面一になるように区画した前記骨組みの各区画領域に装着可能な囲い体とを備え、前記骨組みは、前記複数本の縦材および複数本の横材により、各階のスラブの外端部において前記共同住宅の外廊下側の面の全域またはバルコニー床側の面の全域を格子状に覆っており、前記横材は、前記各階のスラブの近傍に配設した主横材と、当該主横材間の略中間位置に配設した副横材とを有し、前記囲い体は、前記副横材の上側に構成された前記区画領域を開放して下側に構成された前記区画領域に装着した囲い体と、前記上側及び下側に構成された区画領域に装着した囲い体とからなる、建物の柵構造において、共同住宅の各戸には外廊下に面してドアが設けられており、ドアに対応する区画領域には、ドアを目隠しするように囲い体が装着されていることが、好ましい。
【００１０】
この構成によれば、ドアに対応する区画領域に囲い体を装着することにより、玄関先などにおいて、目隠しや風よけを構成することができる。
【００１１】
請求項１、２の建物の棚構造において、囲い体が、複数の格子と複数の格子を支持する枠体とを有する格子ユニットであることが好ましい。
【００１２】
この構成によれば、骨組みの区画領域に格子ユニットを装着することで、簡単に手摺を構成することができる。また、損傷や改修に基づく格子ユニットの交換を簡単に行うことができる。
【００１３】
請求項１、２または３の建物の柵構造において、囲い体が、化粧パネルと化粧パネルを支持する枠体とを有するパネルユニットであることが、好ましい。
【００１４】
この構成によれば、骨組みの区画領域にパネルユニットを装着することで、簡単に目隠し機能を有する手摺や玄関先の目隠し（風よけ）を構成することができる。また、損傷や改修に基づくパネルユニットの交換を簡単に行うことができる。
【００１５】
【発明の実施の形態】
以下、添付の図面を参照して、本発明の一実施形態に係る建物の柵構造について説明する。この柵構造は、例えばマンションなどの共同住宅の外廊下側の面に適用されるものである。図１の正面図に示すように、建物の外壁から延設した各階のスラブ２により各階の外廊下１が形成されている。スラブ２の外端の位置には、複数本の縦材４と複数本の横材５とから成る格子状に骨組み３が設けられており、縦材４と横材５とで区画された骨組み３の区画領域６には、手摺などを構成するように適宜、囲い体７が装着されている。
【００１６】
具体的には、建物の外廊下１側の面の全域が格子状の骨組み３で覆われており、そのうちの手摺を設けようとする部分および風よけ（目隠し）を設けようとする部分には、区画領域６を単位として囲い体７が装着されている。
【００１７】
縦材４は、階高に相当する寸法の複数本の単位縦材８を鉛直方向に連ねて構成されている。また、縦材４の配置ピッチは、建物の柱間の寸法を基準としてこれを均等分割し、１５００mm〜１８００mmになるように設定されている。もっとも、各戸の玄関ドア９に面する部分の縦材４は、この半分の配置ピッチで配設されている。一方、横材５は、縦材４の配置ピッチに相当する寸法の複数本の単位横材１０を水平方向に連ねて構成されている。また、横材５は主横材５ａと副横材５ｂとから成り、主横材５ａは各階のスラブ２のわずかに上側となる位置に配設され、副横材５ｂは笠木に相当する位置に配設されている。なお、主横材５ａと副横材５ｂは、形状等全く同一のものである。
【００１８】
図２および図３に示すように、各階のスラブ２の外端部下面には「Ｌ」字状のブラケット１１が固定されており、ブラケット１１には当該階の単位縦材８の下端部と、階下の単位縦材８の上端部とがねじ止めされている。すなわち、「Ｔ」字状の形材などで構成された各単位縦材８は、そのリブ片８ａを外側に向けた状態で、上下の両端部をそのフランジ片８ｂの部分でブラケット１１にねじ止めされている。同様に、各単位横材１０は「Ｔ」字状の形材などで構成されており、そのリブ片１０ａを外側に向けた状態で、左右の両端部をそのフランジ片１０ｂの部分で縦材４にねじ止めされている。
【００１９】
なお、ブラケット１１と単位縦材８、および単位縦材８と単位横材１０のそれぞれのねじ止め部分は、ねじ用の貫通孔が十字状に交わる長孔となっており、部材相互の位置合わせが容易に行えるようになっている。また、単位横材１０のリブ片１０ａに対して単位縦材８のリブ片８ａの突出長さが長く形成されており、単位縦材８に単位横材１０を取り付けた状態では、それぞれのリブ片８ａ，１０ａの先端が面一になるように形成されている。
【００２０】
一方、囲い体７は、手摺を構成するものとして格子ユニット１２とパネルユニット１３とが用意され、また玄関ドア９に面する目隠し（風よけ）を構成するものとして小型のパネルユニット１４が用意されている。この場合、上記のパネルユニット１３と小型のパネルユニット１４とは、各区画領域６に対応させるために大きさは異なるが、同一構造のものを用いることが好ましい。
【００２１】
図１は１住戸分の構成を示しており、１住戸には２つの小さい区画領域６を含む６つの区画領域６が対応している。そのうち、２つの小さい区画領域６には、玄関ドア９に対応した２つの小型のパネルユニット１４が装着され、２つの区画領域６には、手摺としてそれぞれ１つの格子ユニット１２と１つのパネルユニット１３が装着されている。そして、残る２つの区画領域６は開放されている。
【００２２】
格子ユニット１２は、図２ないし図４に示すように、複数本の縦格子２１と縦格子２１を保持する枠体２２とで構成されており、枠体２２の部分で横材５にねじ止めされている。また、詳細は図示しないが、パネルユニット１３および小型のパネルユニット１４は、パンチングメタルなどのパネルとパネルを保持する枠体とで構成されている。なお、縦格子２１およびパネルをユニット化することなく、横材５または縦材４に取り付けるようにしてもよい。
【００２３】
次に、図５ないし図８を参照して、パネルユニット１３（１４）の他の実施形態について説明する。図５は、第２実施形態に係るパネルユニット１３である。このパネルユニット１３は、複数枚のリブパネル３１と、リブパネル３１を支持する支持プレート３２と、支持プレート３２を支持する複数本の縦枠３３および上下の横枠３４とで構成されている。図６の第３実施形態に係るパネルユニット１３は、上記の複数枚のリブパネル３１に代えて、複数枚の小ピッチ波パネル３５を用いたものである。図７の第４実施形態に係るパネルユニット１３は、支持プレート３２を省略すると共に、複数枚の大ピッチ波パネル３６を縦枠３３に直接ねじ止めしたものである。さらに、図８の第５実施形態に係るパネルユニット１３は、支持プレート３２を省略すると共に、ガラリ用の複数枚の羽根板３７を横枠３４に直接ねじ止めしたものである。
【００２４】
第２実施形態のパネルユニット１３は、囲い体７を幾何学的なデザインとしたものであり、第３および第４実施形態のパネルユニット１３は、囲い体７を軟らかいデザインとしたものである。このうち第４実施形態のパネルユニット１３は、更にコストの低減を図ったものである。そして、第５実施形態のパネルユニット１３は、目隠しおよび風よけの機能に加えて、通風性をも考慮したものである。なお、これら各種のパネルユニット１３および格子ユニット１２は、囲い体７として建物全体の意匠を考慮して設けられるものであり、玄関ドア９に面し風よけとして設ける部分および手摺として設ける部分を、同一のユニットで統一してもよいし、異なるユニットでバランス良く構成してもよい。また、これらユニットは、機能上不要な部分（区画領域）であって、建物全体の意匠上から必要な部分に設けることも可能である。
【００２５】
以上のように本実施形態によれば、共同住宅の外廊下１側の面の全域に格子状に骨組み３を設け、この骨組み３により構成される多数の区画領域６のうち、外廊下１としての機能上必要な部分などに、区画領域６を埋めるように囲い体７を装着しているため、手摺などを外廊下１側全域の意匠を考慮しながら、作り込むことができる。また、囲い体７をユニット化し、各種のものを用意しておくことにより、囲い体７の施工が容易になると共に、そのデザインの自由度や交換の自由度を高めることができる。
【００２６】
なお、共同住宅のバルコニーにおいても、外廊下と同様の構造となっているため（簡易な仕切が設けられているが）、本発明の囲い体構造をバルコニー側に適用してもよい。また、縦材および横材の建物への取付構造は任意である。
【００２７】
【発明の効果】
請求項１の建物の柵構造によれば、外廊下側やバルコニー側の面に配設した格子状の骨組みと、骨組みの各区画領域に装着される囲い体とを備えているので、共同住宅の外廊下側やバルコニー側に必要な囲い体を簡単に施工することができると共に、外廊下側ややバルコニー側全体の外観意匠の統一を図ることができる。
【図面の簡単な説明】
【図１】本発明の一実施形態に係る建物の柵構造を適用した共同住宅の外廊下側の正面図である。
【図２】骨組み廻りの縦断面図である。
【図３】骨組み廻りの横断面図である。
【図４】格子ユニットの組み付け状態を表した斜視図である。
【図５】第２実施形態に係るパネルユニットの組み付け状態を表した斜視図である。
【図６】第３実施形態に係るパネルユニットの組み付け状態を表した斜視図である。
【図７】第４実施形態に係るパネルユニットの組み付け状態を表した斜視図である。
【図８】第５実施形態に係るパネルユニットの組み付け状態を表した斜視図である。
【符号の説明】
１  外廊下、２  スラブ、３  骨組み、４  縦材、５  横材、５ａ  主横材、５ｂ  副横材、６  区画領域、７  囲い体、９  玄関ドア、１２  格子ユニット、１３  パネルユニット、１４  小型のパネルユニット
【図１】
0003664416.tif 000002
【図２】
0003664416.tif 000003
【図３】
0003664416.tif 000004
【図４】
0003664416.tif 000005
【図５】
0003664416.tif 000006
【図６】
0003664416.tif 000007
【図７】
0003664416.tif 000008
【図８】
0003664416.tif 000009